(57)【特許請求の範囲】
【請求項１】
第１の連結部材および第２の連結部材を備える、機器間で連結を拡張するための連結アセンブリであって、前記第１の連結部材は、そのうち１つの機器に連結するために用いられ、前記第２の連結部材は、もう１つの機器に連結するために用いられ、前記第１の連結部材はジャックおよび第１の滑り止め部を備え、前記第２の連結部材はプラグ、前記プラグに螺合覆設される締め付けノブおよび第２の滑り止め部を備え、前記ジャックは、前記プラグに連結するために用いられ、前記第１の滑り止め部が前記第２の滑り止め部に接触可能であることで、前記ジャックの、前記プラグに対する相対的な回動を阻止し、
前記締め付けノブは前記第２の滑り止め部に連結され、前記第２の滑り止め部を動かして共に前記プラグに対して相対的に前記プラグの軸方向に移動可能になって、前記第１の滑り止め部と前記第２の滑り止め部との間の間隙を調節することを特徴とする連結アセンブリ。
【請求項２】
前記第１の滑り止め部が前記ジャックを囲んで設けられ、
または、前記第２の滑り止め部が前記プラグを囲んで設けられることを特徴とする請求項１に記載の連結アセンブリ。
【請求項３】
前記プラグは軸回転部を備え、前記第２の連結部材は、前記軸回転部に覆設され前記軸回転部に沿って移動する滑り止め体を備え、前記第２の滑り止め部は前記滑り止め体に設けられることを特徴とする請求項１又は２に記載の連結アセンブリ。
【請求項４】
前記滑り止め体が前記締め付けノブに螺合され、
または、前記滑り止め体が前記締め付けノブに溶接され、
または、前記滑り止め体が前記締め付けノブと一体構造であることを特徴とする請求項３に記載の連結アセンブリ。
【請求項５】
前記第１の滑り止め部は、前記プラグが前記ジャックと完全に嵌合するとき、前記第２の滑り止め部との間に、予め設けられた間隙が存在し、前記予め設けられた間隙は、前記第２の滑り止め部を移動させることにより解消されることを特徴とする請求項１〜４のいずれか一項に記載の連結アセンブリ。
【請求項６】
前記第１の滑り止め部は、前記プラグが前記ジャックと完全に嵌合するとき、第２の滑り止め部に当接することを特徴とする請求項１〜５のいずれか一項に記載の連結アセンブリ。
【請求項７】
前記プラグは前記ジャックにねじ嵌合または締まり嵌めされることを特徴とする請求項１〜６のいずれか一項に記載の連結アセンブリ。
【請求項８】
前記プラグは前記ジャックに電気的に接続されることを特徴とする請求項１〜７のいずれか一項に記載の連結アセンブリ。
【請求項９】
前記第１の滑り止め部は前記第２の滑り止め部と互いに熱伝導することを特徴とする請求項１〜８のいずれか一項に記載の連結アセンブリ。
【請求項１０】
前記プラグの外部連結端に第２の連結端子が設けられており、前記ジャック内に第１の連結端子が設けられており、前記プラグが前記ジャックと完全に嵌合するとき、前記第１の連結端子は前記第２の連結端子に電気的に接続されることを特徴とする請求項１〜９のいずれか一項に記載の連結アセンブリ。
【請求項１１】
前記第２の連結端子が電気コネクタソケットであり、前記第１の連結端子が電気コネクタプラグであることを特徴とする請求項１０に記載の連結アセンブリ。
【請求項１２】
前記第２の連結端子および前記第１の連結端子がポゴピンであることを特徴とする請求項１０に記載の連結アセンブリ。
【請求項１３】
前記プラグの外端に取り付け孔が設けられており、前記ジャックは、前記取り付け孔と嵌合される取り付けロッドを備えることを特徴とする請求項２に記載の連結アセンブリ。
【請求項１４】
前記取り付けロッドは前記取り付け孔にねじ嵌合または締まり嵌めされることを特徴とする請求項１３に記載の連結アセンブリ。
【請求項１５】
前記第１の滑り止め部は前記第２の滑り止め部と互いに噛合することを特徴とする請求項１〜１４のいずれか一項に記載の連結アセンブリ。
【請求項１６】
前記第１の滑り止め部および前記第２の滑り止め部が歯形面として設けられ、
または、前記第１の滑り止め部および前記第２の滑り止め部が波形面として設けられ、
または、前記第１の滑り止め部および前記第２の滑り止め部が突起状面として設けられることを特徴とする請求項１５に記載の連結アセンブリ。
【請求項１７】
前記ジャックは第１の連結端子をさらに備え、前記プラグは第２の連結端子をさらに備え、第１の連結端子は、前記第２の連結端子に電気的に連結するために用いられることを特徴とする請求項１〜９のいずれか一項に記載の連結アセンブリ。
【請求項１８】
前記第１の連結端子はそのうち１つの機器の内部に電気的に連結され、前記第２の連結端子はもう１つの機器の内部に電気的に連結され、前記ジャックが前記プラグに接続されるとき、２つの前記機器が電気的に接続されることを特徴とする請求項１７に記載の連結アセンブリ。
【請求項１９】
前記第１の連結端子および前記第２の連結端子は、前記ジャックおよび前記プラグの前端に設けられた連結端と、前記連結端から後端に向かって延びるケーブルとをいずれも備え、前記ケーブルは前記機器に電気的に接続されることを特徴とする請求項１８に記載の連結アセンブリ。
【請求項２０】
第１の連結部材および第２の連結部材を備える、機器間で連結を拡張するための連結アセンブリであって、前記第１の連結部材は、そのうち１つの機器に連結するために用いられ、前記第１の連結部材は、第１の冠歯車と、前記第１の冠歯車の中部に位置するジャックとを備え、前記第２の連結部材は、もう１つの機器に連結するために用いられ、前記第２の連結部材は、第２の冠歯車と、前記第２の冠歯車の中部に位置するプラグと、前記プラグに螺合覆設される締め付けノブとを備え、前記ジャックは、前記プラグに連結するために用いられ、前記第１の冠歯車は前記第２の冠歯車と噛合することで、前記ジャックが前記プラグに対して相対的に回動するのを阻止し、
前記締め付けノブは前記第２の冠歯車に連結され、前記第２の冠歯車を動かして共に前記プラグに対して相対的に前記プラグの軸方向に移動可能になって、前記第１の冠歯車と前記第２の冠歯車との間の間隙を調節することを特徴とする連結アセンブリ。
【請求項２１】
第１の連結端子は前記そのうち１つの機器の内部に電気的に連結され、第２の連結端子は前記もう１つの機器の内部に電気的に連結され、前記第１の連結端子が前記第２の連結端子に電気的に接続されるとき、２つの前記機器が電気的に接続されることを特徴とする請求項２０に記載の連結アセンブリ。
【請求項２２】
画像形成装置を搭載するためのジンバル部が設けられたハンドルと、
前記ハンドルに設けられる第１の連結部材とを備え、
前記第１の連結部材は、付属品の第２の連結部材に取り外し可能に連結するために用いられ、前記第１の連結部材はジャックおよび第１の滑り止め部を備え、前記第２の連結部材はプラグ、前記プラグに螺合覆設される締め付けノブおよび第２の滑り止め部を備え、
前記ジャックは、前記プラグに連結するために用いられ、前記第１の滑り止め部が前記第２の滑り止め部に接触可能であることで、前記ジャックの、前記プラグに対する相対的な回動を阻止し、
前記締め付けノブは前記第２の滑り止め部に連結され、前記第２の滑り止め部を動かして共に前記プラグに対して相対的に前記プラグの軸方向に移動可能になって、前記第１の滑り止め部と前記第２の滑り止め部との間の間隙を調節することを特徴とするハンドルジンバル。
【請求項２３】
前記ジャックは第１の連結端子を備え、前記プラグは第２の連結端子を備え、前記第１の連結端子は、前記第２の連結端子に電気的に連結するために用いられ、前記第１の連結端子および第２の連結端子のうち一方が前記ハンドルジンバルの内部に電気的に連結され、他方が前記付属品の内部に電気的に接続されることを特徴とする請求項２２に記載のハンドルジンバル。
【請求項２４】
前記第１の連結端子および第２の連結端子は、前端に設けられた連結端と、前記連結端から後端に向かって延びるケーブルとをいずれも備え、前記ケーブルは前記ハンドルジンバルまたは付属品に電気的に接続されることを特徴とする請求項２３に記載のハンドルジンバル。
【請求項２５】
前記付属品は伸縮ロッドまたは充電ベースであることを特徴とする請求項２２〜２４のいずれか一項に記載のハンドルジンバル。
【請求項２６】
他の機器に連結して使用する電子機器であって、連結アセンブリを備え、前記連結アセンブリは第１の連結部材および第２の連結部材を備え、前記第１の連結部材はジャックおよび第１の滑り止め部を備え、前記第２の連結部材はプラグ、前記プラグに螺合覆設される締め付けノブおよび第２の滑り止め部を備え、前記ジャックは、前記プラグに連結するために用いられ、前記第１の滑り止め部が前記第２の滑り止め部に接触可能であることで、前記ジャックの、前記プラグに対する相対的な回動を阻止し、
前記締め付けノブは前記第２の滑り止め部に連結され、前記第２の滑り止め部を動かして共に前記プラグに対して相対的に前記プラグの軸方向に移動可能になって、前記第１の滑り止め部と前記第２の滑り止め部との間の間隙を調節し、
前記第１の連結部材および前記第２の連結部材のうち一方は前記電子機器に取り付けるために用いられ、他方は他の機器に取り付けるために用いられることを特徴とする電子機器。
【請求項２７】
前記ジャックは第１の連結端子を備え、前記プラグは第２の連結端子を備え、前記第１の連結端子は前記第２の連結端子に電気的に連結することができ、前記第１の連結端子および第２の連結端子のうち一方は前記電子機器の内部に電気的に連結され、他方は前記他の機器の内部に電気的に接続されることを特徴とする請求項２６に記載の電子機器。
【請求項２８】
前記第１の連結端子および第２の連結端子は、前端に設けられた連結端と、前記連結端から後端に向かって延びるケーブルとをいずれも備え、前記ケーブルは前記電子機器または他の機器に電気的に接続されることを特徴とする請求項２７に記載の電子機器。
【発明の詳細な説明】
【技術分野】
【０００１】
本発明は、連結アセンブリと、前記連結アセンブリを使用するハンドルジンバルおよび電子機器とに関する。
【背景技術】
【０００２】
カメラやビデオカメラなど、ますます多くの電子機器が拡張機能を有しているが、一般的な機器拡張物理ポートはスクリューロッドとねじ孔を用いて連結し、連結構造が頑丈ではなく、機器間に摺動が発生しやすく、一般的な機器拡張電子ポートは雄コネクタと雌コネクタを用いて連結し、連結構造が不安定であり、機器の使用過程において変形が生じやすい。以上はいずれも機器の正常な使用に影響する。
【発明の概要】
【発明が解決しようとする課題】
【０００３】
これに鑑みると、構造が頑丈で安定していると同時に物理的および電気的連結を満たす連結アセンブリと、前記連結アセンブリを使用するハンドルジンバルおよび電子機器とを提供する必要がある。
【課題を解決するための手段】
【０００４】
第１の連結部材および第２の連結部材を備える、機器間で連結を拡張するための連結アセンブリであって、前記第１の連結部材は第１の拡張ポートおよび第１の滑り止め部を備え、前記第２の連結部材は第２の拡張ポートおよび第２の滑り止め部を備え、前記第１の拡張ポートは、前記第２の拡張ポートに連結するために用いられ、前記第１の滑り止め部は前記第２の滑り止め部に接触することができる連結アセンブリ。
【０００５】
さらに、前記第１の滑り止め部が前記第１の拡張ポートを囲んで設けられ、
または、前記第２の滑り止め部が前記第２の拡張ポートを囲んで設けられ、
または、前記第１の滑り止め部が前記第１の拡張ポートに対して相対的に移動可能になって、前記第１の滑り止め部と前記第２の滑り止め部との間の間隙を調節し、
または、前記第２の滑り止め部は前記第２の拡張ポートに対して相対的に移動可能になって、前記第１の滑り止め部と前記第２の滑り止め部との間の間隙を調節する。
【０００６】
さらに、前記第２の拡張ポートはプラグを備え、前記第１の拡張ポートは、前記プラグに嵌合されるジャックを備える。
【０００７】
さらに、前記プラグは軸回転部を備え、前記第２の拡張ポートは、前記軸回転部に覆設される滑り止め体を備え、前記滑り止め体は、前記プラグに対して相対的に、前記プラグの軸方向に変位を生じることができ、前記第２の滑り止め部は前記滑り止め体に設けられる。
【０００８】
さらに、前記第２の連結部材は、前記プラグに嵌接され前記プラグにねじ嵌合される締め付けノブをさらに備え、前記締め付けノブは前記滑り止め体に連結され、前記滑り止め体を動かして共に移動させるために用いられる。
【０００９】
さらに、前記滑り止め体が前記締め付けノブに係合し、
あるいは、前記滑り止め体が前記締め付けノブに螺合され、
あるいは、前記滑り止め体が前記締め付けノブに溶接され、
あるいは、前記滑り止め体が前記締め付けノブと一体構造である。
【００１０】
さらに、前記第２の拡張ポートはプラグを備え、前記第２の滑り止め部は、前記プラグに対して相対的に、前記プラグの軸方向に変位を生じることができ、前記プラグの外端に取り付け孔が設けられており、前記第１の拡張ポートは、前記取り付け孔と嵌合される取り付けロッドを備える。
【００１１】
さらに、前記第１の滑り止め部は前記第２の滑り止め部と互いに熱伝導する。
【００１２】
さらに、前記プラグの外部連結端に第２の連結端子が設けられており、前記ジャック内に第１の連結端子が設けられており、前記プラグが前記ジャックと完全に嵌合するとき、前記第１の連結端子は前記第２の連結端子に電気的に接続される。
【００１３】
さらに、前記第２の連結端子が電気コネクタソケットであり、前記第１の連結端子が電気コネクタプラグであり、
または、前記第２の連結端子および前記第１の連結端子がポゴピンである。
【００１４】
さらに、２つの前記滑り止め部が歯形面として設けられ、
あるいは、２つの前記滑り止め部が波形面として設けられ、
あるいは、２つの前記滑り止め部が突起状面として設けられる。
【００１５】
さらに、前記第１の拡張ポートは第１の連結端子を備え、前記第２の拡張ポートは第２の連結端子を備え、前記第１の連結端子は、前記第２の連結端子に電気的に連結するために用いられる。
【００１６】
さらに、前記第１の連結端子および第２の連結端子は、拡張ポートの前端に設けられた連結端と、前記連結端から後端に向かって延びるケーブルとをいずれも備え、前記ケーブルは機器に電気的に接続される。
【００１７】
第１の連結部材および第２の連結部材を備える、機器間で連結を拡張するための連結アセンブリであって、前記第１の連結部材は、第１の冠歯車と、前記第１の冠歯車の中部に位置する第１の拡張ポートとを備え、前記第２の連結部材は、第２の冠歯車と、前記第２の冠歯車の中部に位置する第２の拡張ポートとを備え、前記第１の拡張ポートは、前記第２の拡張ポートに連結するために用いられ、前記第１の冠歯車は前記第２の冠歯車と噛合する。
【００１８】
ハンドルジンバルは、画像形成装置を搭載するためのジンバル部が設けられたハンドルと、
前記ハンドルに設けられる第１の連結部材とを備え、前記第１の連結部材は、付属品の第２の連結部材に取り外し可能に連結するために用いられ、前記第１の連結部材は第１の拡張ポートおよび第１の滑り止め部を備え、前記第２の連結部材は第２の拡張ポートおよび第２の滑り止め部を備え、
前記第１の拡張ポートは、前記第２の拡張ポートに連結するために用いられ、前記第１の滑り止め部が前記第２の滑り止め部に接触可能であることで、前記第１の拡張ポートの、前記第２の拡張ポートに対する相対的な回動を阻止する。
【００１９】
さらに、前記第１の滑り止め部が前記第１の拡張ポートを囲んで設けられ、
または、前記第２の滑り止め部が前記第２の拡張ポートを囲んで設けられ、
または、前記第１の滑り止め部が前記第１の拡張ポートに対して相対的に移動可能になって、前記第１の滑り止め部と前記第２の滑り止め部との間の間隙を調節し、
または、前記第２の滑り止め部は前記第２の拡張ポートに対して相対的に移動可能になって、前記第１の滑り止め部と前記第２の滑り止め部との間の間隙を調節する。
【００２０】
さらに、前記第２の拡張ポートはプラグを備え、前記第１の拡張ポートは、前記プラグに嵌合されるジャックを備える。
【００２１】
さらに、前記プラグは軸回転部を備え、前記第２の拡張ポートは、前記軸回転部に覆設される滑り止め体を備え、前記滑り止め体は、前記プラグに対して相対的に、前記プラグの軸方向に変位を生じることができ、前記第２の滑り止め部は前記滑り止め体に設けられる。
【００２２】
さらに、前記第２の拡張ポートはプラグを備え、前記第２の滑り止め部は、前記プラグに対して相対的に、前記プラグの軸方向に変位を生じることができ、前記プラグの外端に取り付け孔が設けられており、前記第１の拡張ポートは、前記取り付け孔と嵌合される取り付けロッドを備える。
【００２３】
さらに、前記第１の滑り止め部が前記第２の滑り止め部と互いに熱伝導し、
前記プラグの外部連結端に第２の連結端子が設けられており、前記ジャック内に第１の連結端子が設けられており、前記プラグが前記ジャックと完全に嵌合するとき、前記第１の連結端子は前記第２の連結端子に電気的に接続されるかの少なくともひとつである。
【００２４】
さらに、前記第１の拡張ポートは第１の連結端子を備え、前記第２の拡張ポートは第２の連結端子を備え、前記第１の連結端子は、前記第２の連結端子に電気的に連結するために用いられる。
【００２５】
本発明の連結アセンブリ、ハンドルジンバルおよび電子機器を用い、前記連結アセンブリのプラグとジャックの周縁に滑り止め部をそれぞれ設け、機器連結後の安定性を高めており、第１の連結部材および第２の連結端子にそれぞれ設けられ、機器が物理的構造において接続されるとき、電気的な連結を同時に実現し、機器の拡張性を高めている。
【図面の簡単な説明】
【００２６】
【図１】本発明の好ましい実施例が提供する連結アセンブリの概略図である。
【図２】図１のＩＩ−ＩＩ線に沿った断面図である。
【発明を実施するための形態】
【００２７】
以下のような、発明を実施するための形態は、上記図面を参照しながら本発明についてさらに説明する。
【００２８】
以下、本発明の実施例中の図面を参照しながら、本発明の実施例中の技術案について明確かつ十全に記述するが、当然ながら、記述される実施例は本発明の一部の実施例であるにすぎず、すべての実施例ではない。本発明中の実施例に基づき、当業者が、創造的な作業を行っていない前提の下で得た他のあらゆる実施例は、本発明が保護する範囲にいずれも属する。
【００２９】
説明を要するのは、アセンブリが他のアセンブリ「に固定される」と言われる場合、他のアセンブリ上に直接あってよく、あるいは、その中に存在するアセンブリであってもよい、という点である。１つのアセンブリが他のアセンブリに「接続される」とみなされる場合、他のアセンブリに直接連結されてもよく、あるいは、その中に同時に存在するアセンブリでもあり得る。１つのアセンブリがもう１つのアセンブリ「に設けられる」とみなされる場合、もう１つのアセンブリ上に直接設けられてもよく、あるいは、その中に同時に存在するアセンブリでもあり得る。本文書で使用される「垂直な」、「水平な」、「左」、「右」という用語および類似した記述は、説明する目的のためものであるにすぎない。
【００３０】
以下、図面を参照しながら、本発明のいくつかの実施形態について詳しく説明する。矛盾しない場合、下記の実施例および実施例中の特徴は、互いに組み合わせることができる。
【００３１】
図１および図２を同時に参照すると、本発明の実施形態は連結アセンブリ１００を提供し、前記連結アセンブリ１００は、機器２００を他の機器（図示せず）に機械的な連結か電気的な連結の少なくともひとつで連結することができる。本実施形態において、前記機器２００はハンドルジンバルであり、前記ハンドルジンバルはハンドルを備え、前記ハンドルには、画像形成装置を搭載するためのジンバル部が設けられており、前記他の機器は前記ハンドルジンバルの付属品であり、例えば、前記付属品は伸縮ロッドまたは充電ベースであってよい。前記機器２００および前記他の機器は、例えばデスクトップパソコン、携帯電話、タブレット等の他の電子機器であってもよいことは理解可能である。
【００３２】
前記連結アセンブリ１００は第１の連結部材２０および第２の連結部材４０を備える。第１の連結部材２０と第２の連結部材４０は、電気的に連結するか、あるいは機械的に連結するか、あるいは電気的な連結と機械的な連結を同時に行うことができる。
【００３３】
前記第１の連結部材２０は第１の拡張ポート２２および支持部２４を備え、前記第１の拡張ポート２２は、ジャック２２２、第１の滑り止め部２２４、および連結端子２２６を備える。
【００３４】
具体的には、図示された実施例において、前記ジャック２２２はねじ孔である。当然ながら、他の実施例においては、前記ジャック２２２は滑らかな貫通孔であってもよい。
【００３５】
具体的には、図示された実施例において、前記第１の滑り止め部２２４はほぼ環状を呈し、前記ジャック２２２の外縁を囲んで設けられる。当然ながら、他の実施例においては、前記第１の滑り止め部２２４は他の形状であってもよく、前記ジャック２２２の縁部に位置していればよい。
【００３６】
前記第１の連結端子２２６は、前記ジャック２２２の底壁に設けられた連結端２２６２と、前記連結端２２６２から前記ジャック２２２に背向して延びるケーブル２２６４とを備える。前記ケーブル２２６４は前記連結端２２６２に電気的に接続される。前記支持部２４は機器２００を固定連結するために用いられ、前記第１の滑り止め部２２４および前記ジャック２２２は前記支持部２４上に設けられる。
【００３７】
前記第２の連結部材４０は第２の拡張ポート４２および固定柱４４を備える。前記第２の拡張ポート４２は、プラグ４６、締め付けノブ４８、および滑り止め体４９を備える。具体的には、図示された実施例において、前記プラグ４６は、順次設けられた連結部４６２、軸回転部４６４、および回転締め付け部４６６を備える。
【００３８】
前記連結部４６２はねじ柱であり、表面が滑らかな柱体であってもよく、前記ジャック２２２を連結するために用いられ、前記連結部４６２は第２の連結端子４６２２を備え、前記第２の連結端子４６２２は、前記連結部４６２の端面から凹設された連結端４６２４と、前記連結端４６２４から前記プラグ４６に沿って延びるケーブル４６２６とを備え、前記ケーブル４６２６は前記連結端４６２４に電気的に接続される。前記回転締め付け部４６６には雄ねじ山が設けられている。前記固定柱４４はアダプタアセンブリ３００を固定連結するために用いられ、前記アダプタアセンブリ３００は電子機器を連結するために用いられる。前記固定柱４４は、前記プラグ４６の、前記連結部４６２から遠い一端に接続される。
【００３９】
前記締め付けノブ４８は前記回転締め付け部４６６に螺合覆設され、前記締め付けノブ４８は、前記連結部４６２に近い一つの側に凹部４８２が設けられており、前記凹部４８２は、周縁において折り返し部４８４が内方に向かって延びている。
【００４０】
前記滑り止め体４９は前記軸回転部４６４に可動に覆設され、前記滑り止め体４９は、第２の滑り止め部４９２と、前記第２の滑り止め部４９２に背向して設けられた係止部４９４とを備える。前記係止部４９４の断面はほぼ鉤状を呈し、前記係止部４９４は前記凹部４８２に収容されかつ対応するように前記折り返し部４８４に係合される。
【００４１】
本実施形態において、前記支持部２４は機器２００上に固定され、前記ジャック２２２は外を向き、前記ケーブル２２６４は前記機器２００の内部にさらに電気的に接続される。前記固定柱４４はアダプタアセンブリ３００上に固定され、前記第２の連結部材４０を前記アダプタアセンブリ３００上に固定させ、前記ケーブル４６２６は前記電子機器の内部にさらに電気的に接続される。
【００４２】
前記連結アセンブリ１００の使用時に、前記機器２００およびアダプタアセンブリ３００を接近させ、前記プラグ４６を前記ジャック２２２に係止させ、このとき、前記連結端４６２４は前記連結端２２６２に電気的に連結され、前記機器２００は前記電子機器に電気的に接続される。前記締め付けノブ４８を回転させ、前記第２の滑り止め部４９２と前記第１の滑り止め部２２４が互いに噛合するまで前記滑り止め体４９を前記第１の連結部材２０に向かって移動させ、このとき、前記第１の連結部材２０および第２の連結部材４０は緊密に連結され、前記機器２００はアダプタアセンブリ３００を介して前記電子機器に緊密に接続される。
【００４３】
本実施形態において、前記第１の連結部材２０と第２の連結部材４０は、前記第１の滑り止め部２２４を介して前記第２の滑り止め部４９２と接触して互いに熱伝導することができる。前記第１の連結端子２２６は電気コネクタプラグであり、前記第２の連結端子４６２２は電気コネクタソケットである。
【００４４】
さらに、第１の滑り止め部２２４と前記第２の滑り止め部４９２はそれぞれ冠歯車であり、かつ、互いに噛合することができることで、前記第１の拡張ポート２２と第２の拡張ポート４２が相対的に回動するのを阻止し、第１の拡張ポート２２と第２の拡張ポート４２の電気的接触の不良や機械的連結の不十分さを回避することができる。
【００４５】
説明を要するのは、図示された実施例において、前記第２の滑り止め部４９２は、プラグ４６に覆設された滑り止め体４９を介して、前記第２の拡張ポート４２に対して相対的に移動可能であることで、前記第１の滑り止め部と前記第２の滑り止め部との間の間隙を調節する、という点である。当然ながら、他の実施例においては、前記第２の滑り止め部４９２は、他の方式によって前記第２の拡張ポート４２に対して相対的に移動可能であってもよい。
【００４６】
また、前記第１の滑り止め部２２４が前記第１の拡張ポート２２に対して相対的に移動可能な方式によって、前記第１の滑り止め部２２４と前記第２の滑り止め部４９２との間の間隙を調節してもよい。
【００４７】
前記第１の連結端子２２６および前記第２の連結端子４６２２がポゴピンとして設けられてよいことは理解可能である。
【００４８】
取り付け過程において、前記第１の滑り止め部２２４は、前記プラグ４６が前記ジャック２２２に嵌合されるとき、前記第２の滑り止め部４９２に当接することができることは理解可能である。
【００４９】
前記第２の連結部材４０はアダプタアセンブリ３００を介して前記電子機器に連結され、前記アダプタアセンブリ３００は省略可能であり、前記第２の連結部材４０が前記電子機器に直接接続されることは理解可能である。
【００５０】
前記ジャック２２２と前記プラグ４６は螺合嵌合であり、ピン接合、締まり嵌め等の取り外し可能な連結方式など、他の方式として設けて連結することができ、前記第１の滑り止め部２２４および前記第２の滑り止め部４９２は歯形面として設けられ、波形面や突起式面等、他の形状の滑り止め面として設けられてもよいことは理解可能である。
【００５１】
前記滑り止め体４９と前記締め付けノブ４８に他の方式の嵌合方式を用いてよいことは理解可能である。例えば、ねじ連結、溶接または一体構造については、前記滑り止め体４９が前記締め付けノブ４８に従って前記プラグ４６に沿って変位を生じることができることを満たせばよい。
【００５２】
前記第１の連結部材２０は雌構造であるが、前記ジャック２２２を取り付けロッドに置き換え、前記取り付けロッドが前記第１の滑り止め部２２４から延出し、前記第１の連結端子２２６が前記取り付けロッドに凹設される雄構造として設けてもよいことは理解可能である。前記第２の連結部材４０は雄構造であるが、前記プラグ４６の連結部４６２を取り付け孔に置き換え、前記第２の滑り止め部４９２が前記取り付け孔の外縁を囲み、前記第２の連結端子４６２２が前記取り付け孔に設けられる雌構造として設けられてもよい。
【００５３】
本発明の連結アセンブリ、ハンドルジンバルおよび電子機器を用い、前記連結アセンブリのプラグとジャックの周縁に滑り止め部をそれぞれ設け、機器連結後の安定性を高めており、第１の連結部材および第２の連結端子にそれぞれ設けられ、機器が物理的構造において接続されるとき、電気的な連結を同時に実現し、機器の拡張性を高めている。
【００５４】
また、当業者は、以上の実施形態は本発明を説明するためのものであるにすぎず、本発明に対する限定として用いるものではなく、本発明の実質的な趣旨の範囲内でありさえすれば、以上の実施例に対して行う適切な変更および変化はいずれも、本発明が保護を請求する範囲内に当てはまることを認識しなければならない。
【符号の説明】
【００５５】
１００  連結アセンブリ
２００  機器
３００  アダプタアセンブリ
２０  第１の連結部材
２２  第１の拡張ポート
２２２  ジャック
２２４  第１の滑り止め部
２２６  第１の連結端子
２２６２  連結端
２４  支持部
４０  第２の連結部材
４２  第２の拡張ポート
４４  固定柱
４６  プラグ
４６２  連結部
４６２２  第２の連結端子
４６２６  ケーブル
４６４  軸回転部
４６６  回転締め付け部
４８  締め付けノブ
４８２  凹部
４８４  折り返し部
４９  滑り止め体
４９２  第２の滑り止め部
４９４  係止部
【図１】
0006661747.tif 000002
【図２】
0006661747.tif 000003